(57)【要約】【課題】配送オーダーに対しての中継地点をマスタ管理することにより、配送工程分割の業務および振替処理の手間を減らし、中継地毎の売上額を捉えるアイデア（中継パターン管理）を実現することができる中継パターン管理装置を提供することを課題とする。【解決手段】本実施形態では、オーダー情報に含まれる中継パターンと紐づく工程データをマスタから取得し、オーダー情報、および、工程データなどに基づいて中継地の売上を算出し、工程データ、および、中継地の売上などに基づいて売上仕訳、および、売上振替仕訳を作成する。【選択図】図５
2017182772.tif 000002
【特許請求の範囲】
【請求項１】
制御部を備えた中継パターン管理装置であって、
前記制御部は、
貨物の運賃を含む配送オーダーデータを取得するオーダー取得手段と、
前記配送オーダーデータに紐付く、前記貨物の中継輸送の配送工程に関する工程データを取得する工程取得手段と、
前記配送オーダーデータおよび前記工程データに基づいて、前記各配送工程に対する前記運賃の振替仕訳と配車指示とを行う仕訳手段と、
を備えることを特徴とする中継パターン管理装置。
【請求項２】
前記中継輸送の配送工程を組み合わせた中継パターンの中継パターンデータを記憶する中継パターン記憶手段、
を備えた記憶部を更に備え、
前記工程取得手段は、
前記中継パターンに基づいて、前記配送オーダーデータに紐付く前記工程データを取得することを特徴とする請求項１に記載の中継パターン管理装置。
【請求項３】
前記工程取得手段は、
ユーザにより入力装置を介して前記配送オーダーデータに紐付く前記工程データが入力された場合、当該工程データを取得することを特徴とする請求項１に記載の中継パターン管理装置。
【請求項４】
前記中継パターンデータは、
前記配送工程を担当する中継事業所および／もしくは中継部門、前記配送工程毎の売上割合、前記配送工程間の日差および／もしくは時刻、前記配送工程を担当する車両、ならびに／または、前記配送工程を担当するドライバーが設定されたデータであることを特徴とする請求項２に記載の中継パターン管理装置。
【請求項５】
前記仕訳手段は、
前記配送オーダーデータおよび前記工程データに基づいて、前記各配送工程に対する前記運賃の振替仕訳と、前記中継事業所および／もしくは前記中継部門、集荷日および／もしくは集荷時刻、配達日および／もしくは配達時刻、前記車両の割り当て、ならびに／または、前記ドライバーの割り当てを含む前記配車指示と、を行うことを特徴とする請求項４に記載の中継パターン管理装置。
【請求項６】
制御部を備えた中継パターン管理装置に実行させるための中継パターン管理方法であって、
前記制御部で実行させる、
貨物の運賃を含む配送オーダーデータを取得するオーダー取得ステップと、
前記配送オーダーデータに紐付く、前記貨物の中継輸送の配送工程に関する工程データを取得する工程取得ステップと、
前記配送オーダーデータおよび前記工程データに基づいて、前記各配送工程に対する前記運賃の振替仕訳と配車指示とを行う仕訳ステップと、
を含むことを特徴とする中継パターン管理方法。
【請求項７】
制御部を備えた中継パターン管理装置に実行させるための中継パターン管理プログラムであって、
前記制御部において、
貨物の運賃を含む配送オーダーデータを取得するオーダー取得ステップと、
前記配送オーダーデータに紐付く、前記貨物の中継輸送の配送工程に関する工程データを取得する工程取得ステップと、
前記配送オーダーデータおよび前記工程データに基づいて、前記各配送工程に対する前記運賃の振替仕訳と配車指示とを行う仕訳ステップと、
を実行させるための中継パターン管理プログラム。
【発明の詳細な説明】
【技術分野】
【０００１】
本発明は、中継パターン管理装置、中継パターン管理方法、および、中継パターン管理プログラムに関する。
【背景技術】
【０００２】
特許文献１の図９には、中継地を経由して運送（中継輸送）を行う場合、クライアントが入力した依頼情報に基づいた運送単位荷物情報（積地、卸地、ルートコード、など）を２件（積地から中継地までの運送単位荷物情報と、中継地から卸地までの運送単位荷物情報）作成することで、運送依頼の受注管理を、受注単位および運送単位で一貫して行うことが記載されている。
【０００３】
また、特許文献１の図１０および図１２には、運送単位荷物情報に設定されているルートコードと紐づくルートコードデータ（デフォルト車両情報、運送開始予定時間、運送終了予定時間、など）をルートマスタＤＢ５５から取得し、取得したルートコードデータに基づいて車輌スケジュールデータ（車輌、積日、積時間、卸日、卸時間、など）を作成することが記載されている。
【０００４】
また、特許文献１の図１３および図１５には、運賃分割マスタＤＢ５８から運賃分割マスタデータ（単価（受注単価）、など）を取得し、受注単価に基づいて受注売上金額を設定し、受注単価を各車輌に按分した車輌単価に基づいて、車輌毎の売上金額を設定することが記載されている。
【先行技術文献】
【特許文献】
【０００５】
【特許文献１】特開２００５−１０４７０２号公報
【発明の概要】
【発明が解決しようとする課題】
【０００６】
しかしながら、従来技術では、中継地点間の売上振替仕訳を作成することができなかった。
【０００７】
本発明は、上記問題点に鑑みてなされたものであって、配送オーダーに対しての中継地点をマスタ管理することにより、配送工程分割の業務および振替処理の手間を減らし、中継地毎の売上額を捉えるアイデア（中継パターン管理）を実現する中継パターン管理装置を提供することを目的とする。
【課題を解決するための手段】
【０００８】
上述した課題を解決し、目的を達成するために、本発明に係る中継パターン管理装置は、制御部を備えた中継パターン管理装置であって、前記制御部は、貨物の運賃を含む配送オーダーデータを取得するオーダー取得手段と、前記配送オーダーデータに紐付く、前記貨物の中継輸送の配送工程に関する工程データを取得する工程取得手段と、前記配送オーダーデータおよび前記工程データに基づいて、前記各配送工程に対する前記運賃の振替仕訳と配車指示とを行う仕訳手段と、を備えることを特徴とする。
【０００９】
また、本発明に係る中継パターン管理装置は、前記中継輸送の配送工程を組み合わせた中継パターンの中継パターンデータを記憶する中継パターン記憶手段、を備えた記憶部を更に備え、前記工程取得手段は、前記中継パターンに基づいて、前記配送オーダーデータに紐付く前記工程データを取得することを特徴とする。
【００１０】
また、本発明に係る中継パターン管理装置は、前記工程取得手段は、ユーザにより入力装置を介して前記配送オーダーデータに紐付く前記工程データが入力された場合、当該工程データを取得することを特徴とする。
【００１１】
また、本発明に係る中継パターン管理装置は、前記中継パターンデータは、前記配送工程を担当する中継事業所および／もしくは中継部門、前記配送工程毎の売上割合、前記配送工程間の日差および／もしくは時刻、前記配送工程を担当する車両、ならびに／または、前記配送工程を担当するドライバーが設定されたデータであることを特徴とする。
【００１２】
また、本発明に係る中継パターン管理装置は、前記仕訳手段は、前記配送オーダーデータおよび前記工程データに基づいて、前記各配送工程に対する前記運賃の振替仕訳と、前記中継事業所および／もしくは前記中継部門、集荷日および／もしくは集荷時刻、配達日および／もしくは配達時刻、前記車両の割り当て、ならびに／または、前記ドライバーの割り当てを含む前記配車指示と、を行うことを特徴とする。
【００１３】
また、本発明に係る中継パターン管理方法は、制御部を備えた中継パターン管理装置に実行させるための中継パターン管理方法であって、前記制御部で実行させる、貨物の運賃を含む配送オーダーデータを取得するオーダー取得ステップと、前記配送オーダーデータに紐付く、前記貨物の中継輸送の配送工程に関する工程データを取得する工程取得ステップと、前記配送オーダーデータおよび前記工程データに基づいて、前記各配送工程に対する前記運賃の振替仕訳と配車指示とを行う仕訳ステップと、を含むことを特徴とする。
【００１４】
また、本発明に係る中継パターン管理プログラムは、制御部を備えた中継パターン管理装置に実行させるための中継パターン管理プログラムであって、前記制御部において、貨物の運賃を含む配送オーダーデータを取得するオーダー取得ステップと、前記配送オーダーデータに紐付く、前記貨物の中継輸送の配送工程に関する工程データを取得する工程取得ステップと、前記配送オーダーデータおよび前記工程データに基づいて、前記各配送工程に対する前記運賃の振替仕訳と配車指示とを行う仕訳ステップと、を実行させることを特徴とする。
【発明の効果】
【００１５】
本発明によれば、得意先からの１件の注文に対して、複数の中継地（事業所）、中継地（事業所）間の売上振替、配車指示に関して一元管理することができるという効果を奏する。その結果、工程間の日差・時刻を保持することで、全工程の集荷日、集荷時刻、配達日、配達時刻を自動で求めることができる。また、中継地点の配送事業所、配送部門を保持することで、売上振替先の事業所、部門を自動で求めることができる。また、工程間の集荷および配達工程に分配する金額、または比率を設定することで、工程間の売上振替額を柔軟に設定することができる。
【図面の簡単な説明】
【００１６】
【図１】図１は、標準的なシステムにおける配送パターンの一例を示す図である。
【図２】図２は、中継輸送における配送パターンの一例を示す図である。
【図３】図３は、中継パターン管理装置の構成の一例を示すブロック図である。
【図４】図４は、本実施形態における中継パターン管理装置の処理の一例を示すフローチャートである。
【図５】図５は、本実施形態における売上振替処理の一例を示す図である。
【図６】図６は、売上仕訳、および、売上振替仕訳の一例を示す図である。
【図７】図７は、仕訳連携結果の一例を示す図である。
【発明を実施するための形態】
【００１７】
本発明の実施形態を図面に基づいて詳細に説明する。なお、本発明は本実施形態により限定されるものではない。
【００１８】
［１．概要］
図１および図２を参照して、本発明の概要を説明する。図１は、標準的なシステムにおける配送パターンの一例を示す図である。図２は、中継輸送における配送パターンの一例を示す図である。
【００１９】
まず、中継輸送とは、長距離および長時間に及ぶ運行等において、運行途中の中継地等において他の運転者と乗務を交替する輸送形態を指す。中継輸送を行う背景としては、配送オーダーが長距離輸送における運転者の不規則な就業形態や長時間労働を改善する為に、配送拠点におけるリレー方式での輸送を行うことでの配送の効率化、厳しい労務環境の改善を図る対策の一環としての取り組みが挙げられる。
【００２０】
また、３ＰＬ（ｔｈｉｒｄ  ｐａｒｔｙ  ｌｏｇｉｓｔｉｃｓ）が積極的に行われている食品物流などでは、配送オーダーは貸切便より個建配送便が多くなってきており、実際には配送オーダーは少量多明細であることが多い。また、配送工程は物流企業において物流拠点、共同配送便等、事前の最適なルート決定などで決められ、中継地点を介して配送が行われているというのが実態としてある。
【００２１】
ここで、従来では、受注データ１件に対して１配送データを管理するのが標準的なシステムであるので、配送オーダーから配送工程に対しての内部売上を管理することが困難であった。特に、中継地毎の売上金額の管理が出来ず、別途、月末に中継地への売上金額の按分処理が必要となっていた。
【００２２】
図１に示すように、従来の標準的なシステムにおいては、３つの配送パターン、すなわち、パターン（１）一般的な配送（受注データ１件に対して１件の配送データ）、パターン（２）複数台の車輌による配送（受注データ１件に対して複数の配車データ）、および、パターン（３）積み合せによる配送（複数の受注データに対して１つの配送データ）で管理されていた。
【００２３】
ここで、運送業において荷主企業からの配送オーダー（受注）に対して中継輸送を行うためには（具体的には、図２のような複数の中継地を経由する中継輸送を行う場合に関しては）、集荷倉庫から配送センター間の長距離幹線輸送を別の車両および乗務員で媒介して行い、工程を分割することが必要になる。
【００２４】
そこで、図２に示すように、本実施形態においては、複数の中継地を経由する中継輸送を行う場合に適した、中継パターン登録と内部売上管理に関するシステムを提示している。本実施形態においては、配送オーダーに対しての中継地点をマスタ管理することにより、配送工程分割の業務および振替処理の手間を均し、中継地点毎の売上額を捉えることを可能としている。特に、本実施形態においては、得意先からの１件の注文に対して、複数の中継地（事業所）、中継地（事業所）間の売上振替、および、配車指示を一元管理することを可能としている。
【００２５】
また、本実施形態においては、（４）１件の受注データの中で、複数の中継地を保持出来るようにし、（５）同じ配送ルートでの配送が多い為、中継地パターンマスタを設け、（６）中継パターンマスタでは、中継地事業所・部門、中継地毎の売上割合、工程間の日差・時刻、車両、および、ドライバーの指定を可能とすることにより、中継パターンマスタを利用した場合は、中継地、全工程の集荷日、集荷時刻、配達日、配達時刻、中継地間の売上金額、ならびに、車両およびドライバーの割り当てまで行うことを可能としている。そして、本実施形態における売上仕訳については、受注を受けた事業所の売上伝票と各中継地間の売上振替伝票を自動作成することを可能としている。なお、本実施形態における仕組は、配送オーダーを受ける企業、および、配送における元請企業に対しての提供を可能としている。ここで、配送オーダーを受ける企業としては、主に卸売業、製造業、または、運輸業等であってもよい。
【００２６】
また、本実施形態においては、図２のような中継輸送に対して、中継パターンを中継パターンマスタにて管理することにより、オーダー情報（受注データ）に紐付く工程データを保持させる。ここで、工程データは、都度入力だけではなく、中継パターンからの呼出しを可能とし、中継パターンから呼出した場合は、中継パターンの情報を元に、中継地間の売上金額を自動計算しセットすることができる。そして、本実施形態においては、中継地間の売上金額、および、工程データ（工程情報）に基づいて、中継地間の振替仕訳を作成する。また、本実施形態は、中継輸送における中継パターンと工程データとをマスタにて管理することで、（７）オーダー情報に含まれる中継パターンと紐づく工程データをマスタから取得し、（８）オーダー情報、および、工程データなどに基づいて中継地の売上を算出し、（９）工程データ、および、中継地の売上などに基づいて売上仕訳、および、売上振替仕訳を作成することを可能としている。
【００２７】
［２．構成］
図３を参照して、本実施形態に係る中継パターン管理装置１００の構成の一例について説明する。図３は、中継パターン管理装置１００の構成の一例を示すブロック図である。
【００２８】
中継パターン管理装置１００は、市販のデスクトップ型パーソナルコンピュータである。なお、中継パターン管理装置１００は、デスクトップ型パーソナルコンピュータのような据置型情報処理装置に限らず、市販されているノート型パーソナルコンピュータ、ＰＤＡ（Ｐｅｒｓｏｎａｌ  Ｄｉｇｉｔａｌ  Ａｓｓｉｓｔａｎｔｓ）、スマートフォン、タブレット型パーソナルコンピュータなどの携帯型情報処理装置であってもよい。
【００２９】
中継パターン管理装置１００は、制御部１０２と通信インターフェース部１０４と記憶部１０６と入出力インターフェース部１０８と、を備えている。中継パターン管理装置１００が備えている各部は、任意の通信路を介して通信可能に接続されている。
【００３０】
通信インターフェース部１０４は、ルータ等の通信装置および専用線等の有線または無線の通信回線を介して、中継パターン管理装置１００をネットワーク３００に通信可能に接続する。通信インターフェース部１０４は、他の装置と通信回線を介してデータを通信する機能を有する。ここで、ネットワーク３００は、中継パターン管理装置１００とサーバ２００とを相互に通信可能に接続する機能を有し、例えばインターネットやＬＡＮ（Ｌｏｃａｌ  Ａｒｅａ  Ｎｅｔｗｏｒｋ）等である。
【００３１】
記憶部１０６には、各種のデータベース、テーブル、および、ファイルなどが格納される。記憶部１０６には、ＯＳ（Ｏｐｅｒａｔｉｎｇ  Ｓｙｓｔｅｍ）と協働してＣＰＵ（Ｃｅｎｔｒａｌ  Ｐｒｏｃｅｓｓｉｎｇ  Ｕｎｉｔ）に命令を与えて各種処理を行うためのコンピュータプログラムが記録される。記憶部１０６として、例えば、ＲＡＭ（Ｒａｎｄｏｍ  Ａｃｃｅｓｓ  Ｍｅｍｏｒｙ）・ＲＯＭ（Ｒｅａｄ  Ｏｎｌｙ  Ｍｅｍｏｒｙ）等のメモリ装置、ハードディスクのような固定ディスク装置、フレキシブルディスク、および、光ディスク等を用いることができる。記憶部１０６は、中継パターンマスタ１０６ａと、運賃単価マスタ１０６ｂと、仕訳データファイル１０６ｃとを備えている。
【００３２】
中継パターンマスタ１０６ａは、中継輸送の配送工程を組み合わせた中継パターンの中継パターンデータを記憶する。ここで、中継パターンデータは、配送工程を担当する中継事業所および／もしくは中継部門、配送工程毎の売上割合、配送工程間の日差および／もしくは時刻、配送工程を担当する車両、ならびに／または、配送工程を担当するドライバーが設定されたデータ（テーブル）であってもよい。例えば、中継パターンは、レコードを特定するための中継パターンＣＤ（コード）、中継地、配送事業所、部門、到着日差、集荷分配額、配達分配額、出発日差、車両、および、乗務員などを含む。運賃単価マスタ１０６ｂは、レコードを特定するための番号（連番）、数量（配送数量）、および、単価（運送単価）などを含むテーブルであってもよい。
【００３３】
運賃単価マスタ１０６ｂは、配送数量と運賃単価とを対応付けたデータ（テーブル：運賃単価表等）を記憶する。
【００３４】
仕訳データファイル１０６ｃは、配送依頼された貨物の運賃を含む配送オーダーデータ（配送数量、運賃単価、および、請求運賃）、および、各配送工程の売上振替データ（内部売上、および、車両データ）等を含むデータ（テーブル）を記憶する。
【００３５】
入出力インターフェース部１０８には、入力装置１１２および出力装置１１４が接続されている。出力装置１１４には、モニタ（家庭用テレビを含む）の他、スピーカやプリンタを用いることができる。入力装置１１２には、キーボード、マウス、および、マイクの他、マウスと協働してポインティングデバイス機能を実現するモニタを用いることができる。なお、以下では、出力装置１１４をモニタ１１４とし、入力装置１１２をキーボード１１２またはマウス１１２として記載する場合がある。
【００３６】
制御部１０２は、中継パターン管理装置１００を統括的に制御するＣＰＵ等である。制御部１０２は、ＯＳ等の制御プログラム・各種の処理手順等を規定したプログラム・所要データなどを格納するための内部メモリを有し、格納されているこれらのプログラムに基づいて種々の情報処理を実行する。制御部１０２は、機能概念的に、オーダー取得部１０２ａと、工程取得部１０２ｂ、仕訳部１０２ｃとを備えている。
【００３７】
オーダー取得部１０２ａは、貨物の運賃（請求運賃）を含む配送オーダーデータを取得する。ここで、オーダー取得部１０２ａは、入力装置１１２を介して配送数量を含む配送依頼が入力された場合、運賃単価マスタ１０６ｂを参照して、貨物の運賃を算出し、配送オーダーデータを取得してもよい。すなわち、オーダー取得部１０２ａは、配送数量と紐づく単価（運賃単価）を運賃単価マスタ１０６ｂから取得して、請求運賃を算出してもよい。また、オーダー取得部１０２ａは、取得した配送オーダーデータを仕訳データファイル１０６ｃに格納してもよい。また、オーダー取得部１０２ａは、運賃単価マスタ１０６ｂを参照して、配送工程の工程データに基づいて、貨物の運賃を算出してもよい。例えば、オーダー取得部１０２ａは、配送依頼、工程データおよび運賃単価に基づいて売上金額（請求運賃）を算出し、算出した売上金額を仕訳データファイル１０６ｃに格納してもよい。
【００３８】
工程取得部１０２ｂは、配送オーダーデータに紐付く、貨物の中継輸送の配送工程に関する工程データを取得する。ここで、工程取得部１０２ｂは、中継パターンマスタ１０６ａに記憶された中継パターンに基づいて、配送オーダーデータに紐付く、工程データを取得してもよい。また、工程取得部１０２ｂは、ユーザにより入力装置１１２を介して配送オーダーデータに紐付く工程データが入力された場合、当該工程データを取得してもよい。例えば、工程取得部１０２ｂは、配送オーダーデータに対応する、中継パターンと紐づく工程データを中継パターンマスタ１０６ａから呼出（取得）してもよい。また、工程取得部１０２ｂは、ユーザにより入力装置１１２を介して配送オーダーデータに紐付く工程データが入力された場合、当該工程データを取得してもよい。
【００３９】
仕訳部１０２ｃは、配送オーダーデータおよび工程データに基づいて、各配送工程に対する運賃の振替仕訳と配車指示とを行う。ここで、仕訳部１０２ｃは、配送オーダーデータおよび工程データに基づいて、各配送工程に対する運賃の振替仕訳と、中継事業所および／もしくは中継部門、集荷日および／もしくは集荷時刻、配達日および／もしくは配達時刻、車両の割り当て、ならびに／または、ドライバーの割り当てを含む配車指示と、を行ってもよい。例えば、仕訳部１０２ｃは、工程データ（工程情報）、請求運賃、および、各中継地の売上に基づいて売上仕訳、および、売上振替仕訳を作成してもよい。
【００４０】
［３．具体例］
本実施形態の具体例について、図２および図４から図７を参照して説明する。
【００４１】
［売上振替処理］
ここで、図２および図４から図７を参照して、本実施形態における売上振替処理の一例について説明する。図４は、本実施形態における中継パターン管理装置１００の処理の一例を示すフローチャートである。
【００４２】
図４に示すように、オーダー取得部１０２ａは、入力装置１１２を介して配送数量を含む、集荷先と配達先とが指定された配送依頼が入力された場合、運賃単価マスタ１０６ｂに記憶された運賃単価表を参照して、貨物の請求運賃を算出し、請求運賃を含む配送依頼に基づく配送オーダーデータを取得する（ステップＳＡ−１）。
【００４３】
そして、工程取得部１０２ｂは、中継パターンマスタ１０６ａに記憶された中継パターンに基づいて、配送オーダーデータに紐付く、貨物の中継輸送の配送工程に関する工程データを取得する（ステップＳＡ−２）。
【００４４】
そして、仕訳部１０２ｃは、配送オーダーデータおよび工程データに基づいて、各配送工程に対する運賃の振替仕訳と、中継事業所および／もしくは中継部門、集荷日および／もしくは集荷時刻、配達日および／もしくは配達時刻、車両の割り当て、ならびに／または、ドライバーの割り当てを含む配車指示と、を行い（ステップＳＡ−３）、処理を終了する。
【００４５】
ここで、図２および図５から図７を参照して、本実施形態における売上振替処理の具体例について説明する。図５は、本実施形態における売上振替処理の一例を示す図である。図６は、売上仕訳、および、売上振替仕訳の一例を示す図である。図７は、仕訳連携結果の一例を示す図である。なお、本説明では、図２に示す配送依頼（配送オーダーＡ）に基づいて、処理を行うものとする。
【００４６】
図５に示すように、オーダー取得部１０２ａは、入力装置１１２を介して配送数量：２，０００を含む、集荷先Ａと配達先Ａとが指定された配送オーダーＡが入力された場合、運賃単価マスタ１０６ｂに記憶された運賃単価表（単価：￥５００）を参照して、貨物の請求運賃：￥１００，０００を算出し、配送数量と運賃単価と請求運賃とからなる請求用明細を含む、集荷先Ａから配達先Ａへの配送オーダーデータを取得し、当該配送オーダーデータを仕訳データファイル１０６ｃに格納する。
【００４７】
すなわち、配送数量が１，０００を超過し、且つ、２，０００以下であることから、オーダー取得部１０２ａは、運賃単価マスタ１０６ｂの上から２行目のレコードに格納されている単価（運賃単価：￥５００）を取得してもよい。
【００４８】
このように、オーダー取得部１０２ａは、オーダーデータ、工程データおよび運賃単価に基づいて売上金額を算出して、算出した売上金額を仕訳データファイル１０６ｃに格納してもよい。すなわち、オーダー取得部１０２ａは、配送数量：２，０００、および、運賃単価：￥５００の積：￥１００，０００を請求運賃として算出して、配送数量、運賃単価、および、請求運賃のデータを仕訳データファイル１０６ｃに格納してもよい。
【００４９】
そして、図５に示すように、工程取得部１０２ｂは、配送オーダーデータに紐付く、中継パターンを中継パターンマスタ１０６ａから呼出し（取得し）、当該中継パターンに基づいて、図２に示す、集荷先Ａから倉庫（工程Ａ）と倉庫から配送Ｃ（工程Ｂ）と配送Ｃから配達先Ａ（工程Ｃ）とからなる、貨物の中継輸送の配送工程に関する工程データを取得する。このように、工程取得部１０２ｂは、配送オーダーデータに含まれる配送数量と紐づく単価（運賃単価）を運賃単価マスタ１０６ｂから取得してもよい。
【００５０】
すなわち、工程取得部１０２ｂは、配送オーダーＡに係る中継パターンである、中継地点として倉庫および配送Ｃを利用する中継パターンＣＤ：１を、中継パターンマスタ１０６ａから取得してもよい。なお、中継パターンマスタ１０６ａは、集荷分配額、および、配達分配額の代わりに、金額比率を管理してもよい。
【００５１】
そして、図２および図５に示すように、仕訳部１０２ｃは、請求運賃を含む配送オーダーデータおよび工程データに基づいて、売上仕訳、および、各配送工程（工程Ａ、工程Ｂおよび工程Ｃ）に対する売上振替仕訳を行い、中継事業所および中継部門（工程Ｂを管理するＢ事業所のＢ部門、および、工程Ｃを管理するＣ事業所のＣ部門）、集荷日および／もしくは集荷時刻、配達日および／もしくは配達時刻、車両（集荷トラックＡ、幹線トラックＢおよび配送トラックＣ）の割り当て、ならびに／または、ドライバーの割り当て等を含む配車指示を行う。
【００５２】
具体的には、図５および図６に示すように、仕訳部１０２ｃは、配送オーダーＡに基づく請求運賃である売掛金：￥１００，０００を、配送オーダーＡを受けた本部部門（工程Ａの売上を管理）の売上として売上仕訳を行う。そして、仕訳部１０２ｃは、中継パターンに基づき取得された工程データを参照して、売上として計上された￥１００，０００を、工程Ｂ（中継地「倉庫」）の売上：￥９０，０００を工程Ｂの管理部門であるＢ部門に振り替え、工程Ｃ（中継地「配送Ｃ」）の売上：￥５，０００を工程Ｃの管理部門であるＣ部門に振り替える売上振替仕訳を行う。
【００５３】
また、図５および図７に示すように、中継地間（工程Ａを管理する本部部門、工程Ｂを管理するＢ事業所、および、工程Ｃを管理するＣ事業所）の売上は、工程データを参照し、中継地間の振替仕訳として会計システムへ連携可能となっている。
【００５４】
すなわち、仕訳部１０２ｃは、取得した工程データの集荷分配額：￥５，０００を、配送オーダーＡの集荷工程である工程Ａの内部売上、および、車両Ａ（集荷トラックＡ）への売上振替として、仕訳データファイル１０６ｃに格納してもよい。また、仕訳部１０２ｃは、取得した工程データの配達分配額：￥５，０００を、配送オーダーＡの配達工程である工程Ｃの内部売上、および、車両Ｃ（配送トラックＣ）への売上振替として、仕訳データファイル１０６ｃに格納してもよい。また、仕訳部１０２ｃは、請求運賃と、集荷分配額、および、配達分配額との差額である￥９０，０００を、幹線輸送を行う工程Ｂの内部売上、および、車両Ｂ（幹線トラックＢ）への売上振替として、仕訳データファイル１０６ｃに格納してもよい。
【００５５】
更に、仕訳部１０２ｃは、工程データに含まれる車両および乗務員の情報に基づいて、各中継地間の車両（車両Ａ、車両Ｂおよび車両Ｃ）、および、乗務員の割り当てを行ってもよい。また、仕訳部１０２ｃは、工程データに含まれる到着日差、および、出発日差の情報に基づいて、配送スケジュール管理を行ってもよい。また、本実施形態では日単位の管理となっているが、週単位、月次単位の管理を行ってもよい。また、中継地売上の按分だけでなく車輌単位の売上按分を行ってもよい。また、車両およびドライバーの紐づけは、契約単位に設定してもよい。
【００５６】
なお、本実施形態においては、輸送経路で経由する中継地のパターンに関する中継パターンと中継地を管理する管理部門と中継地の分配金額に関する分配金額情報とを含む工程データに含まれる分配金額情報と輸送経路の売上とに基づいて中継地の分配金額を算出し、算出された分配金額と工程データに含まれる管理部門に基づいて管理部門への売上振替仕訳を作成してもよい。
【００５７】
また、本実施形態において、分配金額情報は、分配金額または分配比率であってもよい。また、本実施形態において、工程データは、中継地間の工程の日差、工程の時刻、工程で使用する車両および車両に搭乗する乗務員の情報をさらに含み、中継地間の工程の日差および工程の時刻の情報に基づいて輸送経路のスケジュールを設定し、工程で使用する車両および車両に搭乗する乗務員の情報に基づいて輸送経路の車両および乗務員の割り当てを行ってもよい。
【００５８】
［４．他の実施形態］
本発明は、上述した実施形態以外にも、特許請求の範囲に記載した技術的思想の範囲内において種々の異なる実施形態にて実施されてよいものである。
【００５９】
例えば、実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。
【００６０】
また、本明細書中や図面中で示した処理手順、制御手順、具体的名称、各処理の登録データや検索条件等のパラメータを含む情報、画面例、データベース構成については、特記する場合を除いて任意に変更することができる。
【００６１】
また、中継パターン管理装置１００に関して、図示の各構成要素は機能概念的なものであり、必ずしも物理的に図示の如く構成されていることを要しない。
【００６２】
例えば、中継パターン管理装置１００が備える処理機能、特に制御部にて行われる各処理機能については、その全部または任意の一部を、ＣＰＵおよび当該ＣＰＵにて解釈実行されるプログラムにて実現してもよく、また、ワイヤードロジックによるハードウェアとして実現してもよい。尚、プログラムは、本実施形態で説明した処理を情報処理装置に実行させるためのプログラム化された命令を含む一時的でないコンピュータ読み取り可能な記録媒体に記録されており、必要に応じて中継パターン管理装置１００に機械的に読み取られる。すなわち、ＲＯＭまたはＨＤＤ（Ｈａｒｄ  Ｄｉｓｋ  Ｄｒｉｖｅ）などの記憶部などには、ＯＳと協働してＣＰＵに命令を与え、各種処理を行うためのコンピュータプログラムが記録されている。このコンピュータプログラムは、ＲＡＭにロードされることによって実行され、ＣＰＵと協働して制御部を構成する。
【００６３】
また、このコンピュータプログラムは、中継パターン管理装置１００に対して任意のネットワークを介して接続されたアプリケーションプログラムサーバに記憶されていてもよく、必要に応じてその全部または一部をダウンロードすることも可能である。
【００６４】
また、本実施形態で説明した処理を実行するためのプログラムを、一時的でないコンピュータ読み取り可能な記録媒体に格納してもよく、また、プログラム製品として構成することもできる。ここで、この「記録媒体」とは、メモリーカード、ＵＳＢ（Ｕｎｉｖｅｒｓａｌ  Ｓｅｒｉａｌ  Ｂｕｓ）メモリ、ＳＤ（Ｓｅｃｕｒｅ  Ｄｉｇｉｔａｌ）カード、フレキシブルディスク、光磁気ディスク、ＲＯＭ、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＥＥＰＲＯＭ（登録商標）（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）、ＣＤ−ＲＯＭ（Ｃｏｍｐａｃｔ  Ｄｉｓｋ  Ｒｅａｄ  Ｏｎｌｙ  Ｍｅｍｏｒｙ）、ＭＯ（Ｍａｇｎｅｔｏ−Ｏｐｔｉｃａｌ  ｄｉｓｋ）、ＤＶＤ（Ｄｉｇｉｔａｌ  Ｖｅｒｓａｔｉｌｅ  Ｄｉｓｋ）、および、Ｂｌｕ−ｒａｙ（登録商標）  Ｄｉｓｃ等の任意の「可搬用の物理媒体」を含むものとする。
【００６５】
また、「プログラム」とは、任意の言語または記述方法にて記述されたデータ処理方法であり、ソースコードまたはバイナリコード等の形式を問わない。なお、「プログラム」は必ずしも単一的に構成されるものに限られず、複数のモジュールやライブラリとして分散構成されるものや、ＯＳに代表される別個のプログラムと協働してその機能を達成するものをも含む。なお、実施形態に示した各装置において記録媒体を読み取るための具体的な構成および読み取り手順ならびに読み取り後のインストール手順等については、周知の構成や手順を用いることができる。
【００６６】
記憶部に格納される各種のデータベース等は、ＲＡＭ、ＲＯＭ等のメモリ装置、ハードディスク等の固定ディスク装置、フレキシブルディスク、および、光ディスク等のストレージ手段であり、各種処理やウェブサイト提供に用いる各種のプログラム、テーブル、データベース、および、ウェブページ用ファイル等を格納する。
【００６７】
また、中継パターン管理装置１００は、既知のパーソナルコンピュータまたはワークステーション等の情報処理装置として構成してもよく、また、任意の周辺装置が接続された当該情報処理装置として構成してもよい。また、中継パターン管理装置１００は、当該装置に本実施形態で説明した処理を実現させるソフトウェア（プログラムまたはデータ等を含む）を実装することにより実現してもよい。
【００６８】
更に、装置の分散・統合の具体的形態は図示するものに限られず、その全部または一部を、各種の付加等に応じてまたは機能負荷に応じて、任意の単位で機能的または物理的に分散・統合して構成することができる。すなわち、上述した実施形態を任意に組み合わせて実施してもよく、実施形態を選択的に実施してもよい。
【産業上の利用可能性】
【００６９】
本発明は、特に、配送業務を請け負う卸売業・製造業または運送業全般などにおいて有用である。
【符号の説明】
【００７０】
１００  中継パターン管理装置
１０２  制御部
１０２ａ  オーダー取得部
１０２ｂ  工程取得部
１０２ｃ  仕訳部
１０４  通信インターフェース部
１０６  記憶部
１０６ａ  中継パターンマスタ
１０６ｂ  運賃単価マスタ
１０６ｃ  仕訳データファイル
１０８  入出力インターフェース部
１１２  入力装置
１１４  出力装置
２００  サーバ
３００  ネットワーク
【図１】
2017182772.tif 000003
【図２】
2017182772.tif 000004
【図３】
2017182772.tif 000005
【図４】
2017182772.tif 000006
【図５】
2017182772.tif 000007
【図６】
2017182772.tif 000008
【図７】
2017182772.tif 000009